(57)【要約】【課題】衝撃や振動等や使用者による付替え時にフックの本体への取付状態が変わり難く、フックを本体に安定して取付可能で且つフックや保持手段を紛失し難い電池電源型可搬式機器を提供する。【解決手段】この課題を解決するために、電池電源型可搬式機器は、電動工具用の電池パック４０を電源とし外殻を把持されて使用される本体１と、本体１を外部に引っ掛けるためのフック３０と、を備え、本体１が、電池パック４０を取り付けるパック装着部９と、フック３０を取り付ける取付部と、を備え、取付部が、フック３０を挿入する保持孔１３と、保持孔１３内でフック３０の抜け止めを行う固定ピン２０と、固定ピン２０を弾性的に付勢する弾性体２４と、を備え、固定ピン２０の端部がパック装着部９に露出すると共に、弾性体２４が固定ピン２０をパック装着部９側に付勢するものとした。【選択図】図１
2012152838.tif 000002
【特許請求の範囲】
【請求項１】
電動工具用の電池パックを電源とし外殻を把持されて使用される本体と、前記本体を外部に引っ掛けるためのフックと、を備え、
前記本体が、前記電池パックを取り付けるパック装着部と、前記フックを取り付ける取付部と、を備え、
前記取付部が、前記フックを挿入する保持孔と、前記保持孔内で前記フックの抜け止めを行う固定ピンと、前記固定ピンを弾性的に付勢する弾性体と、を備え、
前記固定ピンの端部が前記パック装着部に露出すると共に、前記弾性体が前記固定ピンを前記パック装着部側に付勢するものであることを特徴とする電池電源型可搬式機器。
【請求項２】
前記フックが、外部に引っ掛ける爪部と、前記保持孔に挿入する挿入片と、前記挿入片に設けられ前記固定ピンが挿通される貫通穴と、を備え、
前記挿入片が、前記保持孔の内面に当接させる凸部を備えるものであることを特徴とする請求項１に記載の電池電源型可搬式機器。
【発明の詳細な説明】
【技術分野】
【０００１】
本発明は、電池電源型可搬式機器、殊に電動工具用の電池パックを電源とした可搬式機器に関するものである。
【背景技術】
【０００２】
従来から、電池電源型可搬式機器として、例えば、ドリルドライバーや回転レンチ或いはインパクト回転工具等の回転工具や、電動のこぎり等の切断刃を備えた切断工具や、ディスクグラインダー等の研削体を備えた研削工具等の電動工具がある。該電動工具は充電可能な電池パックを電源としており、該電池パックは電動工具本体に対して脱着自在となっている。そして、電動工具本体はモータを駆動源として内部に備えると共に、外殻が使用者に把持された状態で使用される（駆動を出力する）ものとなっている。
【０００３】
また、例えば、回転工具では、特許文献１等のように、駆動源であるモータを内蔵した本体にフックを備え、該フックを使用者のベルトや工具置場等に引っ掛けて、非使用時に本体をベルト等に一時的に保持可能としたものがある。
【０００４】
このものでは、該フックが、本体を貫通して取り付けられたねじと、ねじに締結されたナットと、で本体に固定されている。そして、該フックは、ねじの頭部と本体の間と、ナットと本体の間のいずれか一方を選択して固定されることで、使用者の好み等に応じて本体に対するフックの位置を付け替えることができるものとなっている。
【先行技術文献】
【特許文献】
【０００５】
【特許文献１】特開２００４−１０６１７０号公報
【発明の概要】
【発明が解決しようとする課題】
【０００６】
しかしながら、従来のものでは、フックをねじとナットを用いて固定しているため、使用時の落下等の衝撃や振動等によってねじの締結が緩み、ベルト等から回転工具が落下したり、ねじやナット等の保持手段或いはフックを紛失したりする恐れがある。そして、フックの位置の付け替えを使用者が行うため、不十分な締結等に伴う保持手段やフック等の紛失や回転工具の落下を生じたり、締付力が強すぎる等で保持手段や本体外殻等に損傷を生じたり締結を解除できなくなったりする等の恐れもある。
【０００７】
そこで、これら事情を鑑み、衝撃や振動等や使用者による付替え時にフックの本体への取付状態が変わり難く（本体への保持力が低下し難く）、フックを本体に安定して取付可能で且つフック等を紛失し難い電池電源型可搬式機器を提供することを課題とした。
【課題を解決するための手段】
【０００８】
上記課題を解決するために、本発明の電池電源型可搬式機器は、電動工具用の電池パックを電源とし外殻を把持されて使用される本体と、前記本体を外部に引っ掛けるためのフックと、を備え、前記本体が、前記電池パックを取り付けるパック装着部と、前記フックを取り付ける取付部と、を備え、前記取付部が、前記フックを挿入する保持孔と、前記保持孔内で前記フックの抜け止めを行う固定ピンと、前記固定ピンを弾性的に付勢する弾性体と、を備え、前記固定ピンの端部が前記パック装着部に露出すると共に、前記弾性体が前記固定ピンを前記パック装着部側に付勢するものであることを特徴とする。
【０００９】
このものとして、前記フックが、外部に引っ掛ける爪部と、前記保持孔に挿入する挿入片と、前記挿入片に設けられ前記固定ピンが挿通される貫通穴と、を備え、前記挿入片が、前記保持孔の内面に当接させる凸部を備えることが好ましい。
【発明の効果】
【００１０】
このような構成としたことで、衝撃や振動等や使用者による付替え時にフックの本体への取付状態が変わり難く、フックを本体に安定して取り付けることができると共に、フックやフックの保持手段等を紛失し難くすることができる。
【図面の簡単な説明】
【００１１】
【図１】実施形態の一例の回転工具の断面図である。
【図２】同上の回転工具の外観の側面図である。
【図３】同上の回転工具の外観の斜視図である。
【図４】同上の回転工具をパック装着部側から視た斜視図である。
【図５】フックを取り外した状態の斜視図である。
【図６】電池パックを外した状態における図５の領域Ｅの拡大図である。
【図７】フックの斜視図である。
【図８】フックの変形例の斜視図である。
【発明を実施するための形態】
【００１２】
以下、図面に基づいて本発明の実施形態を例示して説明する。
【００１３】
実施形態の一例の電池電源型可搬式機器は、インパクト回転工具やドリルドライバー、回転レンチ等の回転工具となっている。そして、回転工具は、図２や図３に示すように、駆動源であるモータ４（図１参照）が内蔵され外殻を把持して使用する本体１と、本体１に電力を供給する電池パック４０と、本体１を外部に引っ掛けるためのフック３０と、を備えている。
【００１４】
本体１は、図１に示すように、モータ４の内蔵された駆動部３と、使用者に把持される把持部７と、電池パック４０を脱着自在に取り付けるパック装着部９と、フック３０を取り付ける取付部と、駆動部３の駆動を制御する制御回路と、を備えている。
【００１５】
駆動部３は、駆動源であるモータ４と、モータ４の回転駆動を伝達する駆動伝達部５と、駆動伝達部５を介してモータ４の回転駆動を外部に出力する出力部６と、を有しており、外殻はモータ４の回転軸と略同心の円筒形状となっている。
【００１６】
把持部７は駆動部３から径方向に突出して設けられている。そして、把持部７は駆動部３との境界部位にトリガースイッチ等の操作部８を備えており、径方向の突出先端部にはパック装着部９及び取付部が設けられている。
【００１７】
以下の説明において、モータ４の回転軸に沿った向きを前後方向として、出力部６側を前方Ｆとしモータ４側を後方Ｂとする。そして、駆動部３の径方向のうち、把持部７の突出方向に沿った向きを上下方向Ｖとして、パック装着部９側を下方とし、駆動部３側を上方とする。更に、前後方向及び上下方向Ｖに直交する向きを左右方向Ｌとする。
【００１８】
パック装着部９は前方Ｆ側或いは下方側から電池パック４０を装着させるものとなっており、図４に示すように、電池パック４０をモータ４や制御回路と電気的に接続する接続端子部１０を備えている。そして、パック装着部９は、前方Ｆに開口し且つ上方に凹んだ略矩形状の凹所１１を、接続端子部１０より後方Ｂ側に備えており、凹所１１は電池パック４０装着時に電池パック４０によって被覆されるものとなっている。更に、凹所１１は上底の一部が切り欠かれており、該切欠き部位を介して取付部に連通している。
【００１９】
また、取付部は、図１に示すように、フック３０（詳細は後述する）を挿入する保持孔１３と、フック３０の抜け止めを行う円柱状の固定ピン２０と、固定ピン２０を付勢する弾性体２４と、固定ピン２０と弾性体２４を収容した収容部１４と、を備えている。
【００２０】
保持孔１３は断面矩形状で且つ左右方向Ｌに沿って本体１を貫通して設けられており、左右方向Ｌの両端部が、図５に示すように、夫々外殻に開口している。そして、図６に示すように、外殻の該開口の周囲は本体１内側に凹んだ段部１２となっており、保持孔１３にフック３０を挿入し易い形状となっている。
【００２１】
また、保持孔１３は、図４に示すように、下方側の内面の一部に凹所１１の切欠き部位が位置しており、保持孔１３と凹所１１が該切欠き部位を介して連通している。そして、保持孔１３は、図１に示すように、上方側の内面には収容部１４の開口（連通孔１５）が位置している。
【００２２】
収容部１４は、図１に示すように、円形状で保持孔１３に開口した連通孔１５と、連通孔１５に一端が連通した円筒形状の筒部１６と、筒部１６の他端に連通した有底の円筒形状の小径部１７と、を備えている。そして、連通孔１５と小径部１７は固定ピン２０と略同径となっており、筒部１６は連通孔１５及び小径部１７より大径となっている。更に、連通孔１５と筒部１６と小径部１７は略同心で配置されている。
【００２３】
また、小径部１７は内部に固定ピン２０の第１端部２１側を配置されると共に、内面に固定ピン２０の周面が当接されており、第１端部２１は常に小径部１７内に位置するものとなっている。
【００２４】
そして、連通孔１５は固定ピン２０の第２端部２２側が配置されると共に、内面に固定ピン２０の周面が当接されている。そのため、固定ピン２０は連通孔１５及び小径部１７にガイドされて、円柱の軸方向Ａに沿ってスライド自在となっており、第２端部２２は該スライドに伴って連通孔１５から保持孔１３内に突没自在となっている。
【００２５】
該固定ピン２０は第２端部２２側に連通孔１５より大径の環状部２３を有しており、環状部２３は筒部１６内に位置している。
【００２６】
そして、環状部２３は、固定ピン２０の保持孔１３側へのスライド時に、筒部１６の連通孔１５側の内面に当接することで、該位置以上の保持孔１３側へのスライドを規制して、固定ピン２０の筒部１６からの抜け止めを行っている。更に、環状部２３によってスライドが規定された状態で固定ピン２０は、第２端部２２が連通孔１５から保持孔１３に突出して、第２端部２２が凹所１１を介してパック装着部９側に露出するものとなっている。
【００２７】
また、環状部２３にスライド規定された状態から固定ピン２０を小径部１７側へスライドさせると、第２端部２２が保持孔１３から連通孔１５内に没入する。そして、該没入時には、第１端部２１が小径部１７の底部の少なくとも一部に接触して、固定ピン２０の小径部１７側へのスライドが規制される。
【００２８】
そのため、固定ピン２０は、スライド時に第２端部２２及び第１端部２１が筒部１６内に位置しない構造となっており、固定ピン２０は連通孔１５と小径部１７によって位置決めされてスライド時の軸ずれを抑制されている。
【００２９】
また、弾性体２４は固定ピン２０をスライド方向に沿って第２端部２２側（凹所１１側）に弾性的に付勢して、環状部２３を筒部１６の連通孔１５側の内面に当接させた状態に保持している。そして、弾性体２４は、例えば、固定ピン２０の円柱より大径のコイルばねで主体が構成されている。
【００３０】
該コイルばねは筒部１６内に配置されると共に、固定ピン２０と略同心で固定ピン２０の円柱の外周に位置しており、コイルばねは一端が筒部１６の小径部１７側の内面に当接されて、他端が環状部２３に当接されている。
【００３１】
そのため、第２端部２２を連通孔１５側に押込む外部操作等によって、固定ピン２０に外力を付与しない限り、固定ピン２０は、弾性体２４によって、第２端部２２を保持孔１３内に突出させて凹所１１側に露出させた状態に保持されている。そして、露出した第２端部２２を連通孔１５側に押込むことで、固定ピン２０がスライドするため、第２端部２２は固定ピン２０を外部操作するための操作用端部となっている。
【００３２】
なお、弾性体２４は固定ピン２０を凹所１１側に弾性的に付勢するものであれば、コイルばねに限らず、板ばね等であってもよく、小径部１７内に配置して固定ピン２０を付勢してもよい。
【００３３】
また、フック３０は、図７に示すように、使用者のベルトや工具置場の壁面等の外部に引っ掛ける爪部３１と、保持孔１３に挿入する挿入片３２と、挿入片３２に貫通して設けられ固定ピン２０が挿通される貫通孔３３と、を備えている。そして、爪部３１と挿入片３２は樹脂材料或いは金属材料によって一体で形成されている。
【００３４】
爪部３１は中央を切り欠いた板材を前後方向に視て略Ｕ字に屈曲させた形状となっている。そして、爪部３１は、Ｕ字の一辺をベルトと使用者の間に差し入れたり、壁面の係止金具等に引っ掛けたりすることで、フック３０を外部に係止させるものとなっている。更に、爪部３１はＵ字の他辺の端部が挿入片３２に接続されている。
【００３５】
挿入片３２は該爪部３１の他辺に対して略直交すると共に、爪部３１から離れる向きに延設されている。そして、挿入片３２は保持孔１３の上下方向の寸法と略同寸の厚さを有した板状となっており、挿入片３２の延設方向に沿った寸法（板幅）が保持孔１３の左右方向Ｌの寸法の半分より大きい寸法となっている。
【００３６】
更に、挿入片３２は延設方向の先端側（爪部３１から遠い方の端部側）に、板面を貫通した貫通孔３３が設けられており、貫通孔３３は連通孔１５と略同径となっている。
【００３７】
該貫通孔３３は、図１に示すように、挿入片３２を保持孔１３に挿入した際に、連通孔１５と略同心で連通するものとなっている。そのため、連通時には、貫通孔３３に固定ピン２０の第２端部２２側が挿通されると共に、挿入片３２の凹所１１側に位置する板面と第２端部２２が略面一に並ぶものとなっている。
【００３８】
更に、貫通孔３３に固定ピン２０が挿通されることで、挿入片３２は固定ピン２０によって保持孔１３からの抜け止めがなされて、フック３０が本体１に取り付け保持されるものとなっている。そして、フック３０が本体１に保持されることで、フック３０を介して外部に回転工具（本体１）を引っ掛けることができる。
【００３９】
また、フック３０を本体１に取り付けた状態で、第２端部２２を筒部１６側へ押込み固定ピン２０をスライドさせて、第２端部２２を連通孔１５内に没入させることで、固定ピン２０によるフック３０の保持（抜け止め）が解除される。そして、固定ピン２０によるフック３０保持を解除することで、フック３０を本体１から取り外すことができる。
【００４０】
このように、弾性体２４で付勢した固定ピン２０によってフック３０を保持したことで、従来のねじの締結（螺合）等でフック３０を保持するものに比べて、使用者や取付動作等に応じた取付状態の誤差を生じ難くすることができる。そのため、安定した取付状態でフック３０を本体１に取り付けることができると共に、螺合等で保持するものに比べて、衝撃や振動等でフック３０の保持が緩み難いものとなっている。
【００４１】
そして、固定ピン２０をスライドさせることで、フック３０の本体１への取付や本体１からの取外を行うことができるため、螺合等でフック３０を保持するものに比べて、容易にフック３０の取付や取外を行うことができる。更に、保持孔１３の開口を左右両方に備えるため、挿入片３２をいずれの開口に挿入するかによって、容易に本体１に対するフック３０の位置を左右切り替えることができる。
【００４２】
また、操作用端部の露出した凹所１１は、電池パック４０装着時に電池パック４０によって被覆されるため、回転工具使用時等の電池パック４０装着状態では、外部の部材に接触し難くなると共に、固定ピン２０をスライド操作できないものとなっている。
【００４３】
そのため、電池パック４０装着状態では、固定ピン２０によるフック３０の保持が解除され難く、衝撃やスライド操作等によるフック３０の本体１からの離脱を抑制することができて、フック３０を紛失し難くすることができる。そして、凹所１１を介して固定ピン２０が外部に露出するため、電池パック４０脱着時に電池パック４０が固定ピン２０に接触し難く、電池パック４０脱着時の不意の接触に伴うフック３０の離脱やフック３０の紛失を抑制することができる。
【００４４】
更に、固定ピン２０を収容部１４内に抜け止めしたことで、スライド時はもちろん衝撃や振動等で固定ピン２０や弾性体２４の本体１からの離脱を抑制することができて、固定ピン２０等を紛失し難くすることができる。
【００４５】
また、本体１の外殻は、図３や図４に示すように、左右方向Ｌの略中間で分割された二つのハウジング２で主体が構成されている。そして、一方のハウジング２は駆動部３と把持部７とパック装着部９の左側の外殻を形成し、他方のハウジング２は各部の右側の外殻を形成している。
【００４６】
該ハウジング２は保持孔１３の開口を夫々有すると共に、図１や図４に示すように、ハウジング２の合せ目に収容部１４が位置している。更に、固定ピン２０及び弾性体２４は、図１に示すように、二つのハウジング２に挟まれて、収容部１４内に取り付けられている。
【００４７】
このように、二つ割りのハウジング２の合せ目に収容部１４を設けたことで、回転工具組立時に、弾性体２４を外周に取り付けた固定ピン２０を一方のハウジング２に当接して仮止めすることができる。そのため、固定ピン２０や弾性体２４を仮止めする支持部材を設けなくても、固定ピン２０等を収容部１４内に仮止めして組み立てることができて、回転工具を組み立て易くすることができると共に、生産コストを安価に抑えることができる。そして、一方のハウジング２を取り外すだけで、固定ピン２０や弾性体２４を取り出せるため、経年劣化した固定ピン２０や弾性体２４の交換等のメンテナンスを容易に行うことができる。
【００４８】
また、フック３０は、図８に示すように、挿入片３２の板面に凸部３４を設けて、挿入片３２を保持孔１３内に軽圧入して挿入するものとしてもよい。このものでは、挿入片３２挿入時に、凸部３４が保持孔１３の内面に弾性的に接触して、凸部３４及び挿入片３２の凸部３４と反対側の板面が夫々保持孔１３の内面に押圧されながら接触するものとなっている。
【００４９】
このように、凸部３４を設けたことで、挿入片３２を保持孔１３の内面に圧接して挿入させることができて、挿入片３２の接触圧不足に伴う本体１に対するフック３０のガタツキを発生し難くすることができる。そのため、生産時の寸法誤差や挿入片３２の脱着の繰り返し等で保持孔１３の内面と挿入片３２の板面の上下方向Ｖの間に隙間を生じても、フック３０を安定して取付部に取り付けることができる。
【００５０】
また、保持孔１３の開口が左右一方のみのものや、フック３０の左右位置毎に夫々異なる固定ピン２０でフック３０の抜け止めを行うもの等では、固定ピン２０の第２端部２２にＲ（傾斜面）を設けて、フック３０の取付部への取付を容易にしてもよい。
【００５１】
このものでは、第２端部２２は挿入片３２を挿入する開口側に向かって第１端部２１に近づく傾斜面を有している。そして、挿入片３２挿入時には、挿入片３２が傾斜面の傾斜に沿って固定ピン２０を連通孔１５側に押込みながら第２端部２２に乗り上げるものとなっている。そのため、フック３０の本体１取付時に、固定ピン２０のスライド操作が不要となり、フック３０を容易に本体１に取り付けることができる。なお、傾斜面を挿入片３２の延設先端側に設けて、フック３０の本体１取付時のスライド操作を不要にしてもよい。
【００５２】
なお、回転工具が可搬式の攪拌機であってもよいのはもちろん、電池電源型可搬式機器は、電池パック４０を電源とすると共にモータ４を駆動源とし把持部７を把持されて使用される可搬式の電動工具であれば、回転工具に限らない。例えば、他の電動工具として、モータ４の回転駆動で往復動或いは回転する切断刃を備えた切断工具や、モータ４の回転駆動で往復動或いは回転する砥石等の研削体を備えた研削工具等であってもよい。
【００５３】
もちろん、電池電源型可搬式機器は、可搬式の電動工具に限らず、該電動工具用の電池パック４０を電源として装着可能な携帯電灯や、該電池パック４０を電源として装着可能な集塵機等であってもよい。
【００５４】
そして、該携帯電灯は、光源を内蔵したヘッド部を、駆動部３の代りに、把持部７の一端に設けたものとなっており、パック装着部９に装着された電池パック４０から光源に電力が供給されている。更に、ヘッド部が把持部７に対して回動自在に連結されており、ヘッド部を回動させることで、把持部７の持ち方や照射対象等に応じて光源からの光の照射方向を変更可能となっている。また、該携帯電灯は把持部７を把持された使用に限らず、構造体の床面等に載置されて使用されることも可能となっている。
【符号の説明】
【００５５】
１  本体
７  把持部
９  パック装着部
１１  凹所
１３  保持孔
２０  固定ピン
２２  第２端部
２４  弾性体
３０  フック
３１  爪部
３２  挿入片
３３  貫通孔
３４  凸部
４０  電池パック
【図１】
2012152838.tif 000003
【図２】
2012152838.tif 000004
【図３】
2012152838.tif 000005
【図４】
2012152838.tif 000006
【図５】
2012152838.tif 000007
【図６】
2012152838.tif 000008
【図７】
2012152838.tif 000009
【図８】
2012152838.tif 000010